(57)【特許請求の範囲】
【請求項１】
本体を収納する梱包箱と、前記梱包箱の側面に設けた折り曲げ可能な第一の切り起こし部と、前記第一の切り起こし部の外形を形成する第一の切断線の一部を共用した第二の切断線で外形が形成された折り曲げ可能な第二の切り起こし部とを備え、
前記第一の切り起こし部と前記梱包箱との接合部である第一の折り曲げ部は、前記第一の切り起こし部の上部に位置し、
前記梱包箱には、前記本体が載置され前記本体を下方及び側方から固定する緩衝材が、前記梱包箱の内面に沿って収納され、かつ、前記緩衝材の前記第一の切り起こし部に対応する位置に貫通穴が設けられ、前記梱包箱が持ち上げられる際に、前記貫通穴を介して前記緩衝材が持ち上げられるように構成された梱包装置。
【請求項２】
前記第一の切り起こし部の面積を前記第二の切り起こし部の面積より大きくした請求項１に記載の梱包装置。
【請求項３】
前記第一の切り起こし部と前記第二の切り起こし部とを前記梱包箱の複数の面または同一面に複数個備えた請求項１または２に記載の梱包装置。
【請求項４】
前記第一の切り起こし部を形成する第一の切断線と、前記第二の切り起こし部の外形を形成する第二の切断線の少なくとも一方の切断線の一箇所または複数箇所を切断せずにつながった状態であるミシン目状の切断線とした請求項１〜３のいずれか１項に記載の梱包装置。
【請求項５】
本体を収納する梱包箱と、前記梱包箱の側面に設けた折り曲げ可能な第一の切り起こし部と、前記第一の切り起こし部の外形を形成する第一の切断線の一部を共用した第二の切断線で外形が形成された折り曲げ可能な第二の切り起こし部と、前記第一の切り起こし部の上部に位置し、前記第一の切り起こし部と前記梱包箱との接合部である第一の折り曲げ部と、前記梱包箱の内面に沿って収納され、かつ、前記第一の切り起こし部に対応する位置に貫通穴が設けられ、さらに前記本体が載置され前記本体を下方及び側方から固定する緩衝材と、を備え、前記梱包箱が持ち上げられる際に、前記貫通穴を介して前記緩衝材が持ち上げられるように構成された梱包装置を用いた加工方法であって、
前記本体を前記梱包箱に収納し封函を終了した後に、前記第一の切り起こし部を折り曲げて形成した持ち手穴及び前記貫通穴を介して前記本体に二次加工を施し、前記第二の切起こし部を折り曲げて形成される作業穴を通して前記第一の切り起こし部を折り曲げ前の状態に戻し、その後に前記第二の切り起こし部も折り曲げ前の状態に戻すようにした梱包装置を用いた加工方法。
【発明の詳細な説明】
【技術分野】
【０００１】
本発明は段ボールなどを材料とした梱包箱で本体を梱包する梱包装置およびその装置を用いた加工方法に関するものである。
【背景技術】
【０００２】
従来、この種の梱包装置は、梱包箱外面に運搬用の持ち手穴を打ち抜き加工で開けているものが一般的である。しかし、切り起こしにより運搬用の持ち手穴を形成しているものも知られている（例えば、特許文献１参照）。
【先行技術文献】
【特許文献】
【０００３】
【特許文献１】特開平６−３３６２４４号公報
【発明の概要】
【発明が解決しようとする課題】
【０００４】
しかしながら、前記従来の構成では、持ち手穴を打ち抜き加工で開けるものは持ち手穴が開口しており、ホコリやゴミが侵入するという課題がある。一方、切り起こしにより運搬用の持ち手穴を形成しているものでは、運搬時に切り起こし部を梱包箱内方へ折り曲げて持ち手穴を利用すれば、持ち手穴は開口したままとなり元に戻すことはできない。なぜなら切り起こし部を梱包箱外面まで引き出すための工具や指が通る空間がないからである。つまり、持ち手穴を打ち抜き加工で開けているものでも、ホコリやゴミが侵入するという課題を有していた。
【０００５】
また、ホコリやゴミ侵入に対する対策としては、本体を透明シートなどで覆うなどの部品追加と加工が必要である。さらに、切り起こし部を梱包箱外面から外方に折り曲げようとすると、最初に切り起こし部を引き出すための引っ掛け部がないので、結果として、当初より穴を開けるなどの加工が必要となり、ホコリやゴミの侵入防止の部材追加などが必要になる。
【０００６】
さらに、梱包箱に穴を開けることで、梱包箱の圧縮強度が弱くなるので、梱包箱を積上げて保管するような場合は積上げ段数を減らしたり、梱包箱材料の強度を増したりするなどの対応が必要になる。
【０００７】
本発明は、前記従来の課題を解決するもので、持ち手穴からのホコリやゴミなどの侵入を部材追加なく防止するとともに、梱包箱の積上げ時における圧縮強度の低下を防止することができる梱包装置を提供することを目的とする。
【０００８】
また、本発明は、本体を梱包箱に収納し封函を終了した後に、本体に二次加工を施すことができるようにした梱包装置を用いた加工方法を提供することを目的とする。
【課題を解決するための手段】
【０００９】
前記従来の課題を解決するために、本発明の梱包装置は、本体を収納する梱包箱と、前記梱包箱の側面に設けた折り曲げ可能な第一の切り起こし部と、前記第一の切り起こし部の外形を形成する第一の切断線の一部を共用した第二の切断線で外形が形成された折り曲げ可能な第二の切り起こし部とを備え、前記第一の切り起こし部と前記梱包箱との接合部である第一の折り曲げ部は、前記第一の切り起こし部の上部に位置し、前記梱包箱には、前記本体が載置され前記本体を下方及び側方から固定する緩衝材が、前記梱包箱の内面に沿って収納され、かつ、前記緩衝材の前記第一の切り起こし部に対応する位置に貫通穴が設けられ、前記梱包箱が持ち上げられる際に、前記貫通穴を介して前記緩衝材が持ち上げられるように構成されたものである。
【００１０】
これによって、第一の切り起こし部を折り曲げて持ち手穴に利用した後に、第二の切り起こし部により形成される作業穴を利用して元の梱包箱の外面に戻すことができて、梱包箱の外面に穴を開けるなどすることがなく、ホコリやゴミなどの侵入を防ぐことができるとともに、第一、第二の切り起こし部を元に戻すことで梱包箱の積上げ時における圧縮強度の低下を防止することができる。また、この持ち手穴の内側には貫通穴が位置しているので、持ち手穴に手を掛けると必然的に貫通穴に手を掛けることになる。本体の重量が重くても緩衝材で本体の重量を分散して保持するので、梱包箱の材質や強度をより経済的に設計することができる。
【００１１】
また、本発明の梱包装置を用いた加工方法は、本体を梱包箱に収納し封函を終了した後に、第一の切り起こし部を折り曲げて形成した持ち手穴を介して本体に二次加工を施し、第二の切起こし部を折り曲げて形成される作業穴を通して第一の切り起こし部を折り曲げ前の状態に戻し、その後に第二の切り起こし部も折り曲げ前の状態に戻すようにしたものである。
【００１２】
これによって、梱包箱に本体を完全に封函した後に、開梱することなく本体への印刷などの本体外観上の追加加工が容易に可能である。
【発明の効果】
【００１３】
本発明の梱包装置は、梱包箱の外面に穴を開けるなどすることがなく、ホコリやゴミなどの侵入を防ぐことができるとともに、梱包箱の積上げ時における圧縮強度の低下を防止
することができる。また、緩衝材に支えられた本体を安定して持ち上げることができ、梱包箱の材質や強度をより経済的に設計することができる。
【００１４】
また、本発明の梱包装置を用いた加工方法は、梱包箱に本体を完全に封函した後に、開梱することなく本体への印刷などの本体外観上の追加加工が容易に可能である。
【図面の簡単な説明】
【００１５】
【図１】本発明の実施の形態１における梱包装置の分解斜視図
【図２】同梱包装置の部分拡大図
【図３】同梱包装置の外観斜視図
【図４】同梱包装置の作業順序を示す部分断面図
【図５】同梱包装置を用いた加工方法を示す部分断面図
【図６】本発明の実施の形態２における梱包装置の斜視図
【図７】同梱包装置の部分拡大図
【図８】本発明の実施の形態３における梱包装置の斜視図
【発明を実施するための形態】
【００１６】
第１の発明は、本体を収納する梱包箱と、前記梱包箱の側面に設けた折り曲げ可能な第一の切り起こし部と、前記第一の切り起こし部の外形を形成する第一の切断線の一部を共用した第二の切断線で外形が形成された折り曲げ可能な第二の切り起こし部とを備え、前記第一の切り起こし部と前記梱包箱との接合部である第一の折り曲げ部は、前記第一の切り起こし部の上部に位置し、前記梱包箱には、前記本体が載置され前記本体を下方及び側方から固定する緩衝材が、前記梱包箱の内面に沿って収納され、かつ、前記緩衝材の前記第一の切り起こし部に対応する位置に貫通穴が設けられ、前記梱包箱が持ち上げられる際に、前記貫通穴を介して前記緩衝材が持ち上げられるように構成された梱包装置とすることにより、第一の切り起こし部を折り曲げて持ち手穴に利用した後に、第二の切り起こし部により形成される作業穴を利用して元の梱包箱の外面に戻すことができて、梱包箱の外面に穴を開けるなどすることがなく、ホコリやゴミなどの侵入を防ぐことができるとともに、第一、第二の切り起こし部を元に戻すことで梱包箱の積上げ時における圧縮強度の低下を防止することができる。また、第一の切り起こし部及び緩衝材の貫通穴を介して、本体へ二次加工を施すことができる。また、この持ち手穴の内側には貫通穴が位置しているので、持ち手穴に手を掛けると必然的に貫通穴に手を掛けることになる。本体の重量が重くても緩衝材で本体の重量を分散して保持するので、梱包箱の材質や強度をより経済的に設計することができる。
【００２０】
第２の発明は、特に、第１の発明において、第一の切り起こし部の面積を第二の切り起こし部の面積より大きくしたことにより、第一の切り起こし部を折り曲げて形成される持ち手穴で必要な加工や運搬を実施し、完了後、元の梱包箱の外面に戻すとき、外方に折り曲げる第二の切り起こし部の面積が小さく梱包箱の強度低下を抑えることができる。
【００２１】
第３の発明は、特に、第１または第２の発明において、第一の切り起こし部と第二の切り起こし部とを梱包箱の複数の面または同一面に複数個備えたことにより、持ち手穴を構成する場合には両手または複数の作業者で運搬することができ、また、梱包後の本体外観への印刷などの作業が複数面に施すことができる。さらに、梱包構成の任意の位置に追加部品の供給をすることができる。
【００２２】
第４の発明は、特に、第１〜第３のいずれか１つの発明において、第一の切り起こし部を形成する第一の切断線と、第二の切り起こし部の外形を形成する第二の切断線の少なくとも一方の切断線の一箇所または複数箇所を切断せずにつながった状態であるミシン目状の切断線としたことにより、第一の切り起こし部を折り曲げる必要がないときは梱包箱の外面として維持されて勝手に折れ曲がることがない梱包箱を提供することができる。
【００２３】
第５の発明は、本体を収納する梱包箱と、前記梱包箱の側面に設けた折り曲げ可能な第一の切り起こし部と、前記第一の切り起こし部の外形を形成する第一の切断線の一部を共用した第二の切断線で外形が形成された折り曲げ可能な第二の切り起こし部と、前記第一の切り起こし部の上部に位置し、前記第一の切り起こし部と前記梱包箱との接合部である第一の折り曲げ部と、前記梱包箱の内面に沿って収納され、かつ、前記第一の切り起こし部に対応する位置に貫通穴が設けられ、さらに前記本体が載置され前記本体を下方及び側方から固定する緩衝材と、を備え、前記梱包箱が持ち上げられる際に、前記貫通穴を介して前記緩衝材が持ち上げられるように構成された梱包装置を用いた加工方法であって、前記本体を前記梱包箱に収納し封函を終了した後に、前記第一の切り起こし部を折り曲げて形成した持ち手穴及び前記貫通穴を介して前記本体に二次加工を施し、前記第二の切起こし部を折り曲げて形成される作業穴を通して前記第一の切り起こし部を折り曲げ前の状態に戻し、その後に前記第二の切り起こし部も折り曲げ前の状態に戻すようにした梱包装置を用いた加工方法としたことにより、本体を梱包箱に収納し封函を終了した後に、本体に二次加工を容易に施すことができる。
【００２４】
以下、本発明の実施の形態について、図面を参照しながら説明する。なお、この実施の形態によって本発明が限定されるものではない。
【００２５】
（実施の形態１）
図１〜図５は、本発明の実施の形態１における梱包装置およびその装置を用いた加工方法を示している。
【００２６】
図１〜図３において、段ボールで形成された梱包箱１１に発泡スチロールで射出成形された緩衝材右下１２と緩衝材左下１３が左右の底に収納される。次に、電磁調理器などの本体１４が前記緩衝材右下１２と緩衝材左下１３に上から収納される。前記緩衝材右下１２と緩衝材左下１３は、外方は梱包箱１１の内面に沿うように成形加工されている。一方
、本体１４が載置される緩衝材右下１２と緩衝材左下１３内方の形状は本体１４の外形に沿った形状であり、本体１４を収容して本体１４からの圧力を均等に受ける構造をしている。この緩衝材右下１２と緩衝材左下１３の立ち上がり壁にはそれぞれ略中央に貫通穴１５、１６が設けてある。
【００２７】
本体１４が収容された後に緩衝材上１７を本体１４上部に載置し、梱包箱１１の内フラップ１８、１９を閉じる。外フラップ２０、２１を閉じてテープ２２（図３に示す）で外フラップ２０、２１を固定して梱包作業は完了する。
【００２８】
梱包箱１１の側面を形成する外面２３には、相対してトラック状に横長形状の持ち手穴２４が設けられている。持ち手穴２４は外面２３を鋭い刃物で形成されたトムソン型（図示せず）で、梱包箱１１の材質である段ボールを線状に打ち抜いて形成される。トラック状に横長形状の上部を残して打ち抜く第一の切り起こし部２５の折り曲げにより形成される第一の空隙を持ち手穴２４としている。また、第一の切り起こし部２５につながる第二の切り起こし部２６を設けており、この第二の切起こし部２６の折り曲げにより形成される第二の空隙を第一の切り起こし部２５を折り曲げ前の状態に戻す作業穴４０とした（図３に示す）。
【００２９】
すなわち、図２に示すように、第一の切り起こし部２５は梱包箱１１に設けた第一の切断線２９で外形が形成され折り曲げ可能であり、第二の切り起こし部２６は第一の切断線２９の一部を共用（共用部３１）した第二の切断線３０で外形が形成され折り曲げ可能なものである。
【００３０】
第一の切り起こし部２５の大きさは幅が約１００ｍｍで高さが約４０ｍｍである。第二の切り起こし部２６は第一の切り起こし部２５に比べると幅方向で約五分の一程度の寸法で約２０ｍｍあり、高さも約二分の一程度で約２０ｍｍある。したがって面積は第一の切り起こし部２５に比べて約十分の一の大きさとなる。第一の切り起こし部２５と第二の切り起こし部２６の内側にはそれぞれ緩衝材右下１２と緩衝材左下１３の貫通穴１５、１６が位置している。
【００３１】
トムソン型（図示せず）は鋭い刃物で形状のみを打ち抜くので、梱包箱１１の段ボール面は、外観上は加工部が線にしか見えない。打ち抜いた形状が線にしか見えないので、段ボールに隙間は発生しない。したがって、梱包箱１１は外観上線が見えるだけでホコリやゴミは侵入しない。
【００３２】
第一の切り起こし部２５の一部である上部の直線部２７は打ち抜きではなく、梱包箱１１の材質である段ボールの内側を線状に押しつぶして形成した掛線で構成している。トラック状の他の部分は打ち抜きで第一の切断線２９を形成しているので、直線部２７を内側に折り曲げるとトラック状の持ち手穴２４が作られることとなる。この持ち手穴２４の内側には貫通穴１５、１６が位置しているので、持ち手穴２４に手を掛けると必然的に貫通穴１５、１６に手を掛けることになる。
【００３３】
直線部２７の掛線は段ボールの裏側、つまり梱包箱１１の内側を凹状に加工して形成されるので、第一の切り起こし部２５を外側から内側に向かって押し込むと、直線部２７の掛線が他の段ボールに比べて折り曲げに対して強度が小さいので、ちょうど掛線に沿って直線部２７が内側に折れ曲がることになる。この直線部２７の掛線により、第一の切り起こし部２５を内側に折り曲げると常に直線部２７で内側に折れ曲がることになる。これにより、持ち手穴２４からは本体１４が直接見えることになる。
【００３４】
第二の切り起こし部２６は外周を第二の切断線３０で形成し、持ち手穴２４の外周、つ
まり第一の切断線２９の一部を共用し、第二の切り起こし部２６外形の一部である共用部３１を第二の切断線３０の一部として形成している。また、第二の切り起こし部２６の一部である下部の直線部３９は打ち抜きではなく、梱包箱１１の材質である段ボールの外側を線状に押しつぶして形成した掛線で構成している。
【００３５】
そして、図３、図４に示すように、第一の切り起こし部２５を内側（ａ方向）に折り曲げた後、持ち手穴２４に工具（図示せず）あるいは手指３２を差し込んで第二の切り起こし部２６の共用部３１を引っ張ると第二の切り起こし部２６は直線部３９で外面から外方（ｂ方向）に折れ曲がる（図４のＡ〜Ｃ）。
【００３６】
本体１４には樹脂フイルムなどで形成されて接着剤を裏面に備えた定格板３３や注意シール（図示せず）などが持ち手穴２４から見える位置に貼り付けられている。定格板３３などは本体１４の種類や機種別に区分のため、または法規上、記載事項が異なる場合が多い。その異なる事項のみを追加印刷加工を施して印刷し、当初の定格板３３には共通の項目のみを印刷しておれば、追加印刷加工を施す前の本体１４はすべて同じ本体１４であるので、区分して生産する必要もなく、また、それぞれの機種毎に在庫を持つ必要はない。また、既にテープ２２での梱包を完了しているものに、追加印刷加工を施すのみで製品が完成するので、受注から出荷までほとんど時間が必要なく、市場要望への対応が迅速にできる。
【００３７】
ここで、持ち手穴２４からは梱包箱１１の内側を見ることができるので、持ち手穴２４から貫通穴１５、１６を介して定格板３３を見ることができる。つまり、第一の切り起こし部２５の位置にできる持ち手穴２４と貫通穴１５、１６と定格板３３とは直線上に位置することになる。
【００３８】
本体１４の外観面３５に追加加工を施す場合は、図５に示すように、細長い棒状工具３６の一端に印刷用スタンプ３７などを備えて、梱包箱１１外側から持ち手穴２４を介して印刷用スタンプ３７を本体１４の定格板３３（または外観面３５）に押し当てて印刷加工を追加する。このとき梱包箱１１のテープ２２による封函は維持されたままであり、梱包状態は変化していない。本体１４への印刷加工を完了すると、印刷用スタンプ３７を持ち手穴２４から引き出す。
【００３９】
印刷用スタンプ３７は持ち手穴２４から真っ直ぐに押し込んで、外観面３５に貼られた定格板３３に追加印刷加工を行う。その後真っ直ぐに押し込んだ方向と反対方向に引き出すだけでよいので、生産工程においては自動機などで直線往復運動をさせる装置を用意すれば良く、簡単で安価な装置で自動生産装置を構成することができる。
【００４０】
持ち手穴２４が開いた状態では梱包箱１１の外からホコリやゴミが侵入する恐れがあるので、持ち手穴２４を塞ぐことにする。持ち手穴２４に隣接する作業穴４０に指を入れ、第一の切り起こし部２５を引き出す（図３のｃ方向）。このとき、第一の切り起こし部２５は持ち手穴２４の奥から直線部２７を回転中心にして下方向に回転しながら、持ち手穴２４を塞ぐように梱包箱１１内側から梱包箱１１外面２３の同一面まで引き出される（図４のＤ）。
【００４１】
外面２３まで引き出した状態では手の指は持ち手穴２４が既にふさがっているので、作業穴４０を通って梱包箱１１の内側から第一の切り起こし部２５の内側、つまり梱包箱１１の内側から第一の切り起こし部２５を押していることになる。やがて第一の切り起こし部２５が梱包箱１１の外面２３と同じ面になった状態で、指を作業穴４０から梱包箱１１外方に引き抜く。
【００４２】
この状態では、梱包箱１１には作業穴４０が開いている状態であるから、このままではホコリやゴミが侵入するので、この作業穴４０を塞ぐことにする。第二の切り起こし部２６は梱包箱１１の外側方向に折り曲げられているので、これを梱包箱１１外側から押して第二の切り起こし部２６を梱包箱１１の外面２３まで押し戻す。指で第二の切り起こし部２６を梱包箱１１外方から押すと、第二の切り起こし部２６は直線部３９を中心にして梱包箱１１外方から梱包箱１１の外面２３に向かって回転する（図３のｄ方向）。第二の切り起こし部２６は梱包箱１１の外方から押されるので、第二の切り起こし部２６が梱包箱１１外面２３と同一面にまで押された状態で押すことを止めると、第二の切り起こし部２６は梱包箱１１の外面２３の一部となる（図４のＥ）。
【００４３】
この状態にもどすと、第二の切り起こし部２６の第二の切断線３０はトムソン型の刃で打ち抜かれているだけなので、梱包箱１１の外面２３には隙間がなく、ホコリやゴミの侵入はない。
【００４４】
第一の切り起こし部２５と第二の切り起こし部２６とを梱包箱１１の外面２３まで戻すことで、トムソン型で打ち抜かれた部分は隙間がなく、また、直線部２７、３９は折り曲げを戻しただけであり、隙間がない状態に戻すことができる。したがって梱包箱１１の持ち手穴２４は塞がれてホコリやゴミの侵入を防ぐことができる状態になる。
【００４５】
第一の切り起こし部２５は直線部２７を起点にし、第二の切り起こし部２６は直線部３９を起点にして折り曲げを行うので、何度でもそれぞれの直線部２７、３９を中心にして折り曲げることが同じ形状で繰り返し再現することができる。
【００４６】
上記のようにテープ２２を外フラップ２０、２１に貼り付けて梱包が完了した状態の梱包箱１１の外から本体１４に貼り付けられた定格板３３や本体１４の外観面３５へ直接の印刷などの加工ができ、また輸送後の持ち手穴２４から梱包箱１１内へのホコリやゴミの侵入を防止するための操作は、直線部２７、３９での折り曲げ操作を繰り返すことで、複数回実施しても同じ折れ曲がり方をするので再現性があり、侵入防止のはたらきは維持される。つまり、生産工程では追加印刷加工を行い、流通段階では持ち手穴２４で持ち運び作業をしたあと、ホコリやゴミの侵入防止のために持ち手穴２４を塞ぐことができる。
【００４７】
以上のように構成された梱包装置およびその装置を用いた加工方法について、その動作、作用を整理して説明する。
【００４８】
まず、図１において、梱包箱１１に緩衝材右下１２と緩衝材左下１３をセットする。次に本体１４をセットする。最後に緩衝材上１７を本体１４に被せる。内フラップ１８、１９および外フラップ２０、２１を折り込む。最後にテープ２２で外フラップ２０、２１の端面を固定して完成する。本体１４の外観面３５である側面には定格板３３が貼り付けてある。定格板３３には機種名が既に印刷されているが、区分印刷はされていない。
【００４９】
図２は第一の切り起こし部２５と第二の切り起こし部２６を示しており、梱包箱１１の運搬や本体１４への追加印刷加工時の持ち手穴２４と作業穴４０を作ることになる。
【００５０】
図３は持ち手穴２４を形成する順序を示し、第一の切り起こし部２５を梱包箱１１内側のａ方向に押し込む。次に第二の切り起こし部２６を梱包箱１１の外方のｂ方向に引き出す。
【００５１】
図４は具体的に第一の切り起こし部２５と第二の切り起こし部２６とを折り曲げる順序を示している。Ａ〜Ｅの順に操作する。各図の左側は梱包箱１１の内側であり、右側が外側である。Ａは初期状態である。Ｂは第一の切り起こし部２５を梱包箱１１内側に折込み
、次に第二の切り起こし部２６を外側に折り曲げる直前の手指３２の位置である。Ｃは第二の切り起こし部２６を外側に折り曲げた状態である。この状態で、本体１４への追加印刷加工や運搬を行う。Ｄは作業終了後に第一の切り起こし部２５を元の位置である外面２３の位置に戻した状態である。第二の切り起こし部２６はまだ外側に折り曲げられて状態である。Ｅは第二の切り起こし部２６を梱包箱１１外側から外面２３の位置まで戻した状態である。この状態で持ち手穴２４と作業穴４０は第一の切り起こし部２５と第二の切り起こし部２６とで塞がれているので、ホコリなどの進入もなく、また、梱包箱１１を複数個積上げても、外面２３の段ボールは同一面に戻されているので、圧縮強度が下がることなく十分に圧縮力に耐えることができる。
【００５２】
図５は細い棒状工具３６の先端に印刷用スタンプ３７が取り付けられて前後に直線往復運動する装置の一部が本体１４の側面に貼られた定格板３３に追加印刷を行う。この状態では第一の切り起こし部２５と第二の切り起こし部２６とが折り曲げられており、印刷用スタンプ３７で定格板３３に追加印刷加工をしている。この後、第一の切り起こし部２５と第二の切り起こし部２６は塞がれて梱包箱１１の外面２３と同一面に位置して外面２３の一部を形成することになる。
【００５３】
なお、本実施の形態では、第一の切り起こし部２５を内側に折り曲げているが、このとき、図５に示すように、第一の切り起こし部２５が緩衝材右下１２の貫通穴１５に入り込み、持ち手穴２４を持つときに第一の切り起こし部２５が貫通穴１５を介して緩衝材右下１２を持ち上げることになる。つまり作業者の手は第一の切り起こし部２５を介して貫通穴１５を持って緩衝材右下１２を持ち上げることになると同時に第一の切り起こし部２５を介して梱包箱１１を持ち上げることになる。つまりは持ち手穴２４もつことで、梱包箱１１と緩衝材右下１２を同時に持ち上げることになり、緩衝材右下１２に支えられた本体１４を安定して持ち上げることができる。また、第一の切り起こし部２５と緩衝材右下１２を同時に持ち上げることで、梱包箱１１の持ち手穴２４のみに本体１４の重量が集中することがないので、持ち手穴２４の損傷を防ぐことができ、さらには本体１４の重量が重くても梱包箱１１と緩衝材右下１２で本体１４の重量を分散して保持するので、梱包箱１１の材質や強度をより経済的に設計することができる。持ち手穴２４は梱包箱１１の左右に設けてあるので、運搬するときは作業者が両手で運搬することになる。
【００５４】
また、本実施の形態では、第一の切り起こし部２５を内側に折り曲げているが、第一の切り起こし部２５は外側に折り曲げてもよい。第二の切り起こし部２６は外側に折り曲げることで、梱包箱１１の外側から押すことで、外面２３に隙間が発生することなく元に戻したときに完全に復元することができる。
【００５５】
また、本実施の形態では、定格板３３への追加印刷加工を行ったが、印刷に限らず本体１４への追加加工であればどのような加工も可能である。
【００５６】
（実施の形態２）
図６、図７は、本発明の実施の形態２における梱包装置を示している。実施の形態１と基本構成は同様であるので詳細な説明は省略する。
【００５７】
本実施の形態における梱包装置は、第一の切断線４１と第一の折り曲げ部４２で囲まれた第一の切り起こし部４３と、第二の切断線４４と第二の折り曲げ部４５とで囲まれた第二の切り起こし部４６は同一形状であり、お互いに第一の切断線４１と第二の切断線４４が共有する直線形状の共用部４７を挟んで約長方形の同一形状をしている。
【００５８】
ここで、第一の切断線４１と第二の切断線４４はトムソン型の刃を周期的に切り欠くことで、ミシン目状に切断部と接続部が交互に位置している。切断部と接続部の長さの比は
１０：１である。この比は梱包する製品の重量や梱包箱１１の材質などにより調整する。
【００５９】
梱包箱１１の前面と後面には持ち手穴４８が備えられている。持ち手穴４８は実施の形態１の持ち手穴２４と同様に、第一の切り起こし部４３を梱包箱１１と作業穴４９内側に折り込むことにより形成される。次に、第二の切り起こし部４６を梱包箱１１外側に折ることにより作業穴４９が形成される。持ち手穴４８と作業穴４９を通して本体５０の定格板５１が見えるので、定格板５１に追加加工を施し、第一の切り起こし部４３を外面５２まで戻し、次いで第二の切り起こし部４６を梱包箱１１の外側から元の位置である外面５２まで戻して作業は終了する。
【００６０】
持ち手穴４８と作業穴４９は作業がしやすいように第一の切り起こし部４３と第二の切り起こし部４６とは同じ大きさにしてある。また、形状は長方形にすることで、加工が簡単なトムソン型でよいのでトムソン型のコストが経済的である。さらに、形状が直線で形成されているので、作業終了後に梱包箱１１を積上げても圧縮に対して水平と垂直方向に力が伝わり、腰折れすることが少なく、圧縮強度の低下を最小限に抑えることができる。
【００６１】
本実施の形態では、持ち手穴４８と作業穴４９は梱包箱１１の対向する外面５２にそれぞれ設けたが、同一面に複数個設けてもよいし、梱包箱１１の任意の面に複数個設けてもよい。要は必要な個所に必要な数だけ設けることが可能である。
【００６２】
（実施の形態３）
図８は、本発明の実施の形態３における梱包装置を示している。実施の形態１と基本構成は同様であるので詳細な説明は省略する。
【００６３】
本実施の形態における梱包装置は、第一の切り起こし部６０と第二の切り起こし部６１およびそれらにより形成される挿入穴５３が梱包箱１１の天面５５に備えられている。内フラップ５６、５７は天面５５の略中央まではないので、外フラップ５８、５９に設けた挿入穴５３の下には本体（図示せず）がある。
【００６４】
第一の切り起こし部６０と第二の切り起こし部６１は、実施の形態２と同じ形状をしている。実施の形態２では梱包箱１１の側面に位置していたが、本実施の形態では天面５５の外フラップ５８に備えられていて、挿入穴５３の下には内フラップ５６、５７が位置しないように挿入穴５３が配置されている。第一の切り起こし部６０と第二の切り起こし部６１とは共用部６２を共有して実施の形態２と同一の形状をしている。
【００６５】
第一の切り起こし部６０と第二の切り起こし部６１の操作は実施の形態２と同じであるのでその説明を省略する。
【００６６】
挿入穴５３を天面５５に配置することで、テープ２２で外フラップ５８、５９を封函した状態で、追加作業として異なるチラシなどを挿入する場合に挿入穴５３から梱包箱１１内に落とし込み、その後、挿入穴５３を天面５５と同一面に戻すことで、ホコリなどの入らない元の梱包箱に戻すことができる。
【００６７】
なお、本実施の形態においては、実施の形態１、２で示した持ち手穴と作業穴について説明していないが、これらは必要に応じて、挿入穴５３とは別に梱包箱１１の外面に形成することができるものである。
【産業上の利用可能性】
【００６８】
以上のように、本発明にかかる梱包装置は、梱包箱の外面に穴を開けるなどすることがなく、ホコリやゴミなどの侵入を防ぐことができるとともに、梱包箱の積上げ時における
圧縮強度の低下を防止することができ、また、本発明かかる梱包装置を用いた加工方法は、梱包箱に本体を完全に封函した後に、開梱することなく本体への印刷などの本体外観上の追加加工が容易に可能であるので、電磁調理器に限らず各種の製品の梱包装置として、また、追加加工方法として適用することができる。
【符号の説明】
【００６９】
１１  梱包箱
１４、５０  本体
２４、４８  持ち手穴
２５、４３、６０  第一の切り起こし部
２６、４６、６１  第二の切り起こし部
２９、４１  第一の切断線
３０、４４  第二の切断線
３１、４７  共用部
３３、５１  定格板
４０、４９  作業穴
【図１】
0005510423.tif 000002
【図２】
0005510423.tif 000003
【図３】
0005510423.tif 000004
【図４】
0005510423.tif 000005
【図５】
0005510423.tif 000006
【図６】
0005510423.tif 000007
【図７】
0005510423.tif 000008
【図８】
0005510423.tif 000009